(57)【要約】【課題】  本発明は、掃除機本体を寝具上に置いて、寝具を容易に清掃する寝具用電気掃除機に関するものである。【解決手段】本体ケースと該本体ケース２内に設けられた集塵室１０及び電動送風機１１とから成る掃除機本体１と該掃除機本体１に接続されるホースユニット２０と、該ホースユニット２０と接続される吸込具２３とを備え、前記本体ケース２は排気口６を有し、前記本体ケースの側面にはホースユニット２０を着脱自在に保持する接続口５を備え、前記本体ケースは略円盤状に形成されている。【選択図】図６
2016140728.tif 000002
【特許請求の範囲】
【請求項１】
本体ケースと該本体ケース内に設けられた集塵室及び電動送風機とから成る掃除機本体と、該掃除機本体に接続されるホースユニットと、該ホースユニットと接続される吸込具とを備え、前記本体ケースは排気口を有し、前記本体ケースの側面には前記ホースユニットを着脱自在に保持する接続口を備え、前記本体ケースは略円盤状に形成されていることを特徴とする寝具用電気掃除機。
【請求項２】
本体ケースを平面的に見て、縦軸線に直角状に交わる横軸線を描いた時に、縦軸線上に接続口を、横軸線上に集塵室と電動送風機が配設されていることを特徴とする請求項１記載の寝具用電気掃除機。
【請求項３】
掃除機本体を平らな寝具上に載置した状態で、電動送風機により排気口から排出される排気風は、前記排気口から、前記寝具の表面より上方の空中に向けて排気されていることを特徴とする請求項１から請求項２記載の寝具用掃除機。
【請求項４】
電動送風機等に電力を供給するプラグとコードから成る電源コードは、掃除機本体から外方に突出するよう備えられ、前記電源コードの根元部は、本体ケースの側面あるいは上面に固着されていることを特徴とする請求項１から請求項３記載の寝具用掃除機。
【発明の詳細な説明】
【技術分野】
【０００１】
本発明は、掃除機本体を寝具上に置いて、寝具を容易に清掃する寝具用電気掃除機に関するものである。
【背景技術】
【０００２】
寝具の表面には、人のフケや皮脂や髪の毛及び汗等（以下、塵埃とする）が付着し、これらにより、カビやダニ及び微生物等が発生し、この結果、喘息アレルギー等を引き起こすと言われ、健康上の問題が生じている。このような状態を解決するために、一般的に寝具の表面等に付着する塵埃を吸引清掃する専用の掃除機が用いられている。これらは、吸込具と集塵室及び電動送風機を収納した本体ケースに取っ手を設け、該取っ手を持ち、吸込具を寝具に当てて、塵埃を吸引するものが存在している(例えば、特許文献１の図１、図３参照）。また、吸込具と、集塵室及び電動送風機を収納した本体ケースとを分離して、この両方を吸引ホースで接続することで、寝具の清掃は吸込具のみを持ち、手軽で容易に行うことができるものが存在している(例えば、特許文献１の図１９参照）。
【先行技術文献】
【特許文献】
【０００３】
【特許文献１】特許第４５３３９５５号公報
【発明の概要】
【発明が解決しようとする課題】
【０００４】
しかしながら、特許文献１の図１、図３に記載の寝具用殺菌装置は、塵埃は確実に寝具から吸引除去されるが、集塵室及び電動送風機を有するため重くなり、その操作力は、特に女性や老人など、力のない人には大変な清掃作業となるばかりか、電動送風機の高速回転に伴う振動も課題となる。また、特許文献１の図１９に記載の寝具用殺菌装置は装置本体と吸込具が分れており、清掃時は吸込具のみを移動させるため、前記作業の問題を改善できる。しかし、前記装置本体は一対の大きな車輪を有しており、該車輪は一般的に各種床面を移動走行しながら清掃するためのものであるため、寝具の上に置いた場合、車輪の汚れ等が寝具に付着しないか気になり抵抗感がある。そのために、前記装置本体を寝具外に置けば良いが、吸引ホースを長くしないとすみずみまで清掃ができなく、また吸引ホースが長いとその扱いが面倒である。
【０００５】
また、装置本体は、吸引ホースの接続口と集塵室及び電動送風機が一直線上に配置されている為、全長が長くなり、直方体状となる。そのため、前記装置本体の外周を吸込具で清掃する際は、装置本体の全長が長いために方向転換時の回転半径が長くなり、小回り性に課題が生じる。特に、重量のある電動送風機が接続口から遠距離にあるために顕著になる。更に、本体ケースは直方体状であるため、転倒も起こりやすい。更にまた、車輪が寝具に沈み込み回転が阻害されるため、前記装置本体の外周を清掃する際、こまめに装置本体を持ち上げ、向きを変えて吸込具を操作しなければならないので、労力や煩わしさが生じる。
【課題を解決するための手段】
【０００６】
従来の課題を解決するために、請求項１の発明は、本体ケースと該本体ケース内に設けられた集塵室及び電動送風機とから成る掃除機本体と、該掃除機本体に接続されるホースユニットと、該ホースユニットと接続される吸込具とを備え、前記本体ケースは排気口を有し、前記本体ケースの側面には前記ホースユニットを着脱自在に保持する接続口を備え、前記本体ケースは略円盤状に形成されていることを特徴としている。請求項２の発明は、本体ケースを平面的に見て、縦軸線に直角状に交わる横軸線を描いた時に、縦軸線上に接続口を、横軸線上に集塵室と電動送風機が配設されていることを特徴としている。
【０００７】
請求項３の発明は、掃除機本体を平らな寝具上に載置した状態で、電動送風機により排気口から排出される排気風は、前記排気口から、前記寝具の表面より上方の空中に向けて排出されていることを特徴としている。請求項４の発明は、電動送風機等に電力を供給するプラグとコードから成る電源コードは、掃除機本体から外方に突出するよう備えられ、前記電源コードの根元部は、本体ケースの側面あるいは上面に固着されていることを特徴としている。
【発明の効果】
【０００８】
本発明の請求項１では、寝具例えば、敷布団等の表面を清掃する際に、掃除機本体を寝具の上に直接置き、その外周囲を吸込具により清掃作業を行うが、この時、掃除機本体はその重量で、寝具に沈むことで、掃除機本体が容易に移動することなく、その位置に留まることができる。また、略円盤状に形成された本体ケースの側面にホースユニットが設けられているため、比較的軽い力で掃除機本体の回転をスムースに行うことができる。これにより、掃除機本体の外周囲を清掃の際、掃除機本体を持ち上げ、方向を変えることなく容易に清掃ができる。もちろん、本体ケースは略円盤状に形成されているので、倒れることもない。更に、寝具に沈んだ状態で載置された掃除機本体からの振動や音は、寝具により吸収されるので静音化が可能となる。
【０００９】
本発明の請求項２では、略円盤状に形成された本体ケースの側面に設けられた接続口から、比較的重量のある電動送風機と集塵室を近距離に設けたので、その回転半径を小さくでき、よりスムースに回転が可能となった。すなわち、掃除機本体の外周囲の清掃が容易である。本発明の請求項３では、寝具を清掃の際、掃除機本体はその重量で寝具内に沈む。この時に、排気口が掃除機本体の下方に設けられていると、排気風が寝具表面に直接当たり、塵埃を空中に舞い散らす恐れが生じるが、あらかじめ排気風を上方の空中に向けて排出させているので、衛生上安心である。本発明の請求項４では、掃除機本体から外方に突出している電源コードの根元部を、本体ケースの側面あるいは上面に固着することで、寝具を清掃の際、掃除機本体が自重で寝具に沈んでも、電源コードの根元部が寝具に当たり、掃除機本体の回転の妨げを防止できるもので、掃除機本体がスムースに回転して、その外周囲の清掃を容易にできる。
【図面の簡単な説明】
【００１０】
【図１】本発明に係る寝具用電気掃除機の斜視図
【図２】本発明に係る掃除機本体の後方からの斜視図
【図３】本発明に係る掃除機本体の底面図
【図４】（ａ）本発明に係る寝具用電気掃除機の清掃時の状態を示す平面部分断面図（ｂ）本発明にかかる寝具用電気掃除機の排気循環時の状態を示す平面部分断面図
【図５】本発明に係る寝具用電気掃除機を寝具に載置した状態を示す側面図
【図６】本発明に係る寝具用電気掃除機を寝具に載置した状態を示す平面図
【発明を実施するための形態】
【００１１】
以下に、本発明の寝具用電気掃除機の一実施例の形態を、図１から図６を用いて説明する。なお、図において、Ｆは綿等の入った寝具、矢印は外気の通過経路、Ｘは仮想の横軸線で、Ｙは仮想の縦軸線である。
【００１２】
掃除機本体１は、以下の構成である。本体ケース２は、略円形の上ケース３と下ケース４で略円盤状に形成され、側面２Ａは略垂直面で形成され、側面２Ａには接続口５、排気口６、上面３Ａには本体ケース２を持ち運ぶハンドル７が、それぞれ設けられている。なお、本実施例では側面を略垂直面で形成しているが、掃除機本体１の側面全体を、滑らかな弧を描く曲面で形成し、曲面の頂点近傍に接続口５を形成しても良い。また、本体ケース２の全長Ｄと、その高さＨとの寸法関係は、Ｄ＞Ｈであり、扁平状に形成されている。そして、下ケース４の底面４Ａは、下方に向かい略円弧状に突出して設けられている。下ケース４の底面４Ａの中心部寄りには、複数の車輪８が設けられ、床面が硬い例えば板の間等に載置した時は、走行回転するようその飛び出し長さは小さく、床面の傷つきを防止するためのもので、寝具に載置した時には、車輪８は沈み込み、寝具を傷めず清掃できる。
【００１３】
電源コード１６は、電動送風機１１等の電気部品に電力を供給するためのもので有り、プラグ１７とコード１８と根元部１９で構成され、本体ケース２の側面２Ａ、すなわち上ケース３と下ケース４の接合部に根元部１９が突出するよう取り付けられている。すなわち、掃除機本体１を寝具Ｆに載置した時、寝具Ｆと根元部１９との間には所定の空間が形成される。ホースユニット２０は、屈曲自在のホース２１と、接続口５に着脱自在に取り付けられる接続管Ａ２２と、吸込具２３に対して回動自在に取り付けられる接続管Ｂ２７で構成されている。接続管Ｂ２７は吸込口側の端部にエルボを有しているため、エルボを介してホース２１を吸込具２３の左右に移動させることができる。そのため、手元操作部２５を握る手が右手であっても左手であってもホース２１が邪魔にならないよう吸込具２３を操作することができる。吸込具２３は、塵埃を吸引する吸込ケース２４と、寝具Ｆ上を移動操作するための手元操作部２５から構成され、ホースユニット２０と連通している。これにより、寝具用電気掃除機３０は、掃除機本体１とホースユニット２０及び吸込具２３から構成されている。
【００１４】
第４図に示すように、本体ケース２に、それぞれ仮想の横軸線Ｘと縦軸線Ｙを直角に交わるよう描いた時に、接続口５は縦軸線Ｙ上に、塵埃を捕集するフィルター９を有する集塵室１０と、該集塵室１０に連通する電動送風機１１を収納した電動送風機室１２とが、横軸線Ｘ上にそれぞれ配置されて連通している。また、集塵室１０と電動送風機１１の中心線は横軸線Ｘと一致している。なお、集塵室１０は、本体ケース２に着脱自在に取り付けられており、その外表面には、内部の塵埃の溜まり具合が見えるような透明窓１３が設けられている。
【００１５】
吸引風路１４は、その一端は接続口５に他端は集塵室１０にそれぞれ連通している。そして、排気風路２８は、その一端が電動送風機室１２に他端は排気口６にそれぞれ連通している。循環風路２９は、その一端が電動送風機室１２に他端は接続口５にそれぞれ連通している。清掃時には、接続口５に接続管２２の一部を挿入し、第４図（ａ）に示すように循環風路２９と接続口５の連通部を接続管２２で塞ぎ、吸引した外気を吸引風路１４に流入させている。以上のように構成されているため、清掃時に電動送風機１１を稼動させると、接続管２２から流入した外気が第４図（ａ）の太矢印で示すように、吸引風路１４、集塵室１０、電動送風機室１２、排気風路２８、排気口６の順に通過し、掃除機本体１の外に排出される。
【００１６】
次に、清掃後は接続管２２を接続口５から抜き、第４図（ｂ）に示すように接続口５の近傍に形成されたシャッター２６を閉めてから電動送風機１１を稼動させる。すると、太矢印で示すように、吸引風路１４、集塵室１０、電動送風機室１２、循環風路２９、の順に掃除機本体１内で排気が循環する。このまま電動送風機１１を稼動させ続けると、電動送風機１１の排熱が掃除機本体１内に蓄積されるため循環風の温度が上昇し、集塵室１０や吸引風路１４内で生き残ったダニ等の害虫を熱によって完全に殺すことができる。
【００１７】
排気口６は、電動送風機１１からの、排気流が寝具に直接当たらないよう上方の空中に向けて傾斜して形成されているため、第５図の矢印のように排気が寝具Ｆの表面より上方の空中に向けて排気されている。排気口６の内方近傍には、排気フィルター１５が設けられている。なお、該排気フィルター１５は、微細な塵埃を確実に捕集するＨＥＰＡフィルター等の高性能フィルターを用いても良い。
【００１８】
本発明の寝具用電気掃除機３０は以上のように構成されており、寝具清掃は、第６図に示すように寝具用電気掃除機３０を寝具Ｆ上に載置し、電源コード１６をコンセント（図示せず）に差し込み、スイッチ（図示せず）を入れ、電動送風機１１等の各電気部品に通電を行う。この時、綿等で形成された寝具Ｆはクッション性を有しており、掃除機本体１は、自重で寝具Ｆに沈み込んだ状態で載置されるので、手元操作部２５を持ち、吸込具２３により掃除機本体１の外周囲を清掃する。
【００１９】
そして、寝具Ｆ全体を清掃するため第６図の点線で記載したように吸込具２３を掃除機本体１の周りを移動させると、吸込具２３およびホースユニット２０に引っ張られて掃除機本体１が回転する。特に、本発明の寝具用電気掃除機３０では側面２Ａに接続口５を形成しているので、掃除機本体１の回転中心から最も遠い位置から掃除機本体１を引っ張って回転力を与えることができる。そのため、掃除機本体１の上面３Ａに接続口５を形成するよりも軽い力で掃除機本体１を回転させることができるので、清掃中に本体の向きを手で変えたり、ホースユニット２０がねじれたりすることなく使用できる操作性の良い寝具用電気掃除機となる。
【００２０】
なお、寝具Ｆ上の塵埃は、外気と共に電動送風機１１の吸引力で吸込具２３からホースユニット２０、吸引風路１４を通過して集塵室１０内で捕集される。その後、外気は清浄外気となり、電動送風機１１を通過し、排気口６から室内に排気される。この時、排気口６は、上方の空中に向けて傾斜して形成されているので、掃除機本体１が寝具Ｆに沈んだ状態で載置されていても、排気風は、寝具Ｆに付着している塵埃を室内に舞い上げ、室内を汚すことはない。更に、清掃中に、何らかの外力で接続口５側が持ち上がり排気口６側が下がっても、排気風は寝具Ｆに当たることがなく安心である。
【００２１】
なお、排気口６は、本体ケース２の上面３Ａや側面２Ａの上方に設けることで、特に、排気口６の排気角度を上方の空中に向けて傾斜して形成せずに、寝具Ｆに平行に設けても、排気風は、室内の空間に排気され、寝具Ｆに当たることを防止できる。また、電源コード１６の根元部１９が、本体ケース２の側面２Ａに設けられているので、清掃時において、掃除機本体１が回転しても、根元部１９が寝具Ｆに接触することなく、その回転を阻害しないもので、掃除機本体１の外周囲の清掃は容易である。なお、根元部１９は本体ケース２の上面３Ａに設けても良い。
【００２２】
寝具Ｆの清掃が繰り返し行われると、集塵室１０には多量の塵埃が捕集されるが、透明窓１３からその捕集具合が目視により解るので、本体ケース２から集塵室１０を取り外し、塵埃を捨てれば良い。なお、ホースユニット２０の長さを敷布団等の長手方向の長さの、約半分に設定すると、掃除機本体１を持ち上げて動かすことなく、前記敷布団の全表面の清掃が可能となる。
【００２３】
なお、本発明の主旨を逸脱しない範囲で、様々な実施の形態を取ることができる。
【産業上の利用可能性】
【００２４】
本発明は、寝具上に掃除機本体を載置して、清掃を容易に、手軽に確実に行えるようにしたもので有り、寝具用電気掃除機３０として広く好適に活用することが可能となる。
【符号の説明】
【００２５】
１    掃除機本体
２    本体ケース
２Ａ  側面
５    接続口
６    排気口
７    ハンドル
９    フィルター
１０  集塵室
１１  電動送風機
１２  電動送風機室
１６  電源コード
１９  根元部
２０  ホースユニット
２１  ホース
２２  接続管Ａ
２３  吸込具
２６  シャッター
２７  接続管Ｂ
２８  排気風路
２９  循環風路
３０  寝具用電気掃除機
Ｆ    寝具
Ｘ    仮想の横軸線
Ｙ    仮想の縦軸線
【図１】
2016140728.tif 000003
【図２】
2016140728.tif 000004
【図３】
2016140728.tif 000005
【図４】
2016140728.tif 000006
【図５】
2016140728.tif 000007
【図６】
2016140728.tif 000008